(57)【要約】      （修正有）【課題】少量の接着剤で充分な強度を有する籾殻成形体及びその製造方法を提供しようとする。また、吸音性、衝撃エネルギー吸収性に優れた自動車用部材を提供する。【解決手段】籾殻の粒子の表面にポリビニルアルコールを付着させ、型に充填して得た充填成形体の内部の籾殻の粒子間の隙間に熱水または水蒸気を送り込んで、籾殻の粒子の表面に付着させたポリビニルアルコールを水溶液化し、次いで充填成形体を冷凍した後解凍し乾燥する籾殻成形体の製造方法であり、この製造方法により得られる自動車用部材である。【選択図】なし【特許請求の範囲】
【請求項１】
籾殻の粒子を主成分とする粉粒体（粉粒体１）を準備する工程、
前記籾殻の粒子の表面に、ポリビニルアルコール、ポリビニルアルコール水溶液、の群から選択される付着用物を付着させ、表面に該付着用物が付着された籾殻の粒子を主成分とする粉粒体（粉粒体２）を得る付着工程、
該粉粒体２を型に充填して造形体を得る充填工程、
該造形体の内部の籾殻の粒子間の隙間に熱水または水蒸気を送り込んで、該籾殻の粒子の表面に付着させた前記付着用物を希釈または水溶液化する工程、
前記付着用物が希釈または水溶液化された前記造形体を冷凍し、冷凍体を得る工程、
該冷凍体を解凍し解凍体を得る工程、
該解凍体を乾燥する工程
を含む籾殻成形体の製造方法。
【請求項２】
籾殻の粒子を主成分とする粉粒体（粉粒体１）を準備する工程、
前記籾殻の粒子の表面に、ポリビニルアルコール、ポリビニルアルコール水溶液、の群から選択される付着用物を付着させ、表面に該付着用物が付着された籾殻の粒子を主成分とする粉粒体（粉粒体２）を得る付着工程、
該粉粒体２を型に充填して造形体を得る充填工程、
該造形体の内部の籾殻の粒子間の隙間に熱水または水蒸気を送り込んで、該籾殻の粒子の表面に付着させた前記付着用物を希釈または水溶液化する工程、
次いで、前記造形体を前記型から取り外す取り外し工程、
取り外された前記造形体をフィルムからなる梱包袋で梱包し、次いで前記造形体が内包された前記梱包袋の内部を減圧した状態で、前記梱包袋を密閉し、減圧密閉梱包体を得る工程、
該減圧密閉梱包体を冷凍し、冷凍体を得る工程、
該冷凍体を解凍し解凍体を得る工程、
次いで、前記造形体を前記梱包袋から取出して乾燥する工程
を含む籾殻成形体の製造方法。
【請求項３】
籾殻の粒子を主成分とする粉粒体（粉粒体１）を準備する工程、
前記籾殻の粒子の表面に、ポリビニルアルコール、ポリビニルアルコール水溶液、の群から選択される付着用物を付着させ、表面に該付着用物が付着された籾殻の粒子を主成分とする粉粒体（粉粒体２）を得る付着工程、
該粉粒体２を型に充填して造形体を得る充填工程、
該造形体の内部の籾殻の粒子間の隙間に熱水または水蒸気を送り込んで、該籾殻の粒子の表面に付着させた前記付着用物を希釈または水溶液化する工程、
次いで、前記造形体を型ごと冷凍し、冷凍体を得る工程、
該冷凍体を解凍し解凍体を得る工程、
次いで、前記造形体を乾燥する工程
を含む籾殻成形体の製造方法。
【請求項４】
籾殻の粒子を主成分とする粉粒体（粉粒体１）を準備する工程、
前記籾殻の粒子の表面に、ポリビニルアルコール、ポリビニルアルコール水溶液、の群から選択される付着用物を付着させ、表面に該付着用物が付着された籾殻の粒子を主成分とする粉粒体（粉粒体２）を得る付着工程、
該粉粒体２を型に充填して造形体を得る充填工程、
該造形体の内部の籾殻の粒子間の隙間に熱水または水蒸気を送り込んで、該籾殻の粒子の表面に付着させた前記付着用物を希釈または水溶液化する工程、
次いで、前記造形体を前記型から取り外す取り外し工程、
取り外された前記造形体を第２の型に入れる工程、
次いで、前記造形体を第２の型ごと冷凍し、冷凍体を得る工程、
該冷凍体を解凍し解凍体を得る工程、
次いで、前記造形体を乾燥する工程
を含む籾殻成形体の製造方法。
【請求項５】
前記付着工程が、
前記粉粒体１とポリビニルアルコール水溶液とを混合して混合体を得る工程、
該混合体を攪拌しつつ乾燥する工程
を含む請求項１から４のいずれかに記載の籾殻成形体の製造方法。
【請求項６】
前記粉粒体１が粉砕された籾殻を含む請求項１から５のいずれかに記載の籾殻成形体の製造方法。
【請求項７】
前記粉粒体１が、微粉砕された籾殻、コロイダルシリカ、石英ガラスの粉末、籾殻焼成灰、の群から選択される１または複数種の微粉末を含む請求項１から６のいずれかに記載の籾殻成形体の製造方法。
【請求項８】
前記粉粒体１が、籾殻燻炭を含む請求項１から８のいずれかに記載の籾殻成形体の製造方法。
【請求項９】
請求項１から８のいずれかに記載の籾殻成形体の製造方法で得られた籾殻成形体。
【請求項１０】
請求項９に記載の籾殻成形体がフィルムからなる包装袋で包装されてなる複合籾殻成形体。
【請求項１１】
前記包装袋でシュリンク包装されてなる請求項１０に記載の複合籾殻成形体。
【請求項１２】
請求項１０に記載の籾殻成形体、または、請求項１０、１１のいずれかに記載の複合籾殻成形体からなる自動車用部材。
【発明の詳細な説明】
【技術分野】
【０００１】
本発明は、籾殻をバインダで固着し成形した籾殻成形体の製造方法及びその製造方法で得られた籾殻成形体に関する。
【背景技術】
【０００２】
粒状物の粒子同士が接着剤を介して結合されてなる成形体としてはパーティクルボードなどが知られている。（例えば、特許文献１参照）
【０００３】
このような成形体においては、かさだかな成形体、すなわち、粒子間にある程度空隙が確保された成形体を得ようとすると接着剤の量を少なくする必要があり、この場合はそのために成形体は充分な強度が得られない。また、構造が密な成形体においても、接着剤の量を少なくすると成形体中の接着剤の分布の不均一さに起因して、充分な強度が得られない。
【０００４】
一方、成形体用の粒状物としては、籾殻のような副産物の利用が考えられる。籾殻はそれ自体もかさだかであり、防音性や衝撃エネルギー吸収性能を要求される自動車用部材として、多孔質の成形体を得るうえで好適と考えられる。さらに、自動車用部材として籾殻を用いることは、地球環境の保護に寄与するところが大である。
【０００５】
籾殻を接着剤で固化してなる成形体に関しては、籾殻に水を噴射して表面を濡らした後、小麦粉、米粉、ゴムパウダーなどの接着剤となる植物性接着剤粉を散布し、次いで水を噴射して植物性接着剤粉を液状化してから、撹拌機で撹拌混合し、次いでこの籾殻を加圧してブロックに成型した後、このブロックを加熱乾燥して接着剤を固化させて、籾殻の繊維方向を横方向に揃えた断熱緩衝材を形成することが開示されている（例えば、特許文献２参照）。しかし、この方法においては、液状化された接着剤が加熱乾燥の際にマイグレーションにより成形体の表面など高温がわに移行する傾向があり、均一な接着構造が得られないおそれがある。また、未粉砕の籾殻の集合体はかさだか過ぎて強度不足となるおそれがある。
【０００６】
さらに、籾殻に破砕を加えることなく接着剤その他の固化材料を添加し、撹拌した上で、固化材料が硬化する以前に型へ入れて４０〜７０％の容量に圧縮し、その状態に保持して材料の固化を待ち、型を外して取り出す籾殻壁材の製造方法が開示されている（例えば、特許文献３参照）。しかし、この方法においては、圧縮により籾殻粒子間の空隙が潰されて、成形体は連続気孔を有しないものとなり、十分な防音性と衝撃エネルギー吸収性能を有するものとはならない。
【０００７】
また、多数の籾殻が硬化剤によって一体的に固化されていることを特徴とする籾殻を用いた建設資材が開示されている（例えば、特許文献４参照）。この建設資材は、例えば、籾殻及び接着剤を大型の攪拌機やミキサー車等を用いて攪拌し、次に地盤上に混合された籾殻及び接着剤を流し込み、大型の平板状治具で平らに均し養生することによって得られるものであり、建設資材の５０重量％ほどが接着剤であり、通気性はあるものの、十分な衝撃エネルギー吸収性能を有するものとはならない。また、このような籾殻及び接着剤を流し込む態様においては、接着剤の含有比率が１０重量％ほどでは資材に十分な強度が得られない。
【特許文献１】特開平５−１６２１０４号公報
【特許文献２】特開平６−８９６８号公報
【特許文献３】特開平１１−１５９０５５号公報
【特許文献４】特開２００３−１３５１２号公報
【発明の開示】
【発明が解決しようとする課題】
【０００８】
本発明の目的は、少量の接着剤で充分な強度を有する籾殻成形体及びその製造方法を提供しようとすることである。
【０００９】
本発明の目的は、この成形体による、吸音性、衝撃エネルギー吸収性に優れた自動車部材を提供しようとすることである。
【課題を解決するための手段】
【００１０】
本発明の要旨とするところは、
籾殻の粒子を主成分とする粉粒体（粉粒体１）を準備する工程、
前記籾殻の粒子の表面に、ポリビニルアルコール、ポリビニルアルコール水溶液、の群から選択される付着用物を付着させ、表面に該付着用物が付着された籾殻の粒子を主成分とする粉粒体（粉粒体２）を得る付着工程、
該粉粒体２を型に充填して造形体を得る充填工程、
該造形体の内部の籾殻の粒子間の隙間に熱水または水蒸気を送り込んで、該籾殻の粒子の表面に付着させた前記付着用物を希釈または水溶液化する工程、
前記付着用物が希釈または水溶液化された前記造形体を冷凍し、冷凍体を得る工程、
該冷凍体を解凍し解凍体を得る工程、
該解凍体を乾燥する工程
を含む籾殻成形体の製造方法であることにある。
【００１１】
また、本発明の要旨とするところは、
籾殻の粒子を主成分とする粉粒体（粉粒体１）を準備する工程、
前記籾殻の粒子の表面に、ポリビニルアルコール、ポリビニルアルコール水溶液、の群から選択される付着用物を付着させ、表面に該付着用物が付着された籾殻の粒子を主成分とする粉粒体（粉粒体２）を得る付着工程、
該粉粒体２を型に充填して造形体を得る充填工程、
該造形体の内部の籾殻の粒子間の隙間に熱水または水蒸気を送り込んで、該籾殻の粒子の表面に付着させた前記付着用物を希釈または水溶液化する工程、
次いで、前記造形体を前記型から取り外す取り外し工程、
取り外された前記造形体をフィルムからなる梱包袋で梱包し、次いで前記造形体が内包された前記梱包袋の内部を減圧した状態で、前記梱包袋を密閉し、減圧密閉梱包体を得る工程、
該減圧密閉梱包体を冷凍し、冷凍体を得る工程、
該冷凍体を解凍し解凍体を得る工程、
次いで、前記造形体を前記梱包袋から取出して乾燥する工程
を含む籾殻成形体の製造方法であることにある。
【００１２】
さらに、本発明の要旨とするところは、
籾殻の粒子を主成分とする粉粒体（粉粒体１）を準備する工程、
前記籾殻の粒子の表面に、ポリビニルアルコール、ポリビニルアルコール水溶液、の群から選択される付着用物を付着させ、表面に該付着用物が付着された籾殻の粒子を主成分とする粉粒体（粉粒体２）を得る付着工程、
該粉粒体２を型に充填して造形体を得る充填工程、
該造形体の内部の籾殻の粒子間の隙間に熱水または水蒸気を送り込んで、該籾殻の粒子の表面に付着させた前記付着用物を希釈または水溶液化する工程、
次いで、前記造形体を型ごと冷凍し、冷凍体を得る工程、
該冷凍体を解凍し解凍体を得る工程、
次いで、前記造形体を乾燥する工程
を含む籾殻成形体の製造方法であることにある。
【００１３】
またさらに、本発明の要旨とするところは、
籾殻の粒子を主成分とする粉粒体（粉粒体１）を準備する工程、
前記籾殻の粒子の表面に、ポリビニルアルコール、ポリビニルアルコール水溶液、の群から選択される付着用物を付着させ、表面に該付着用物が付着された籾殻の粒子を主成分とする粉粒体（粉粒体２）を得る付着工程、
該粉粒体２を型に充填して造形体を得る充填工程、
該造形体の内部の籾殻の粒子間の隙間に熱水または水蒸気を送り込んで、該籾殻の粒子の表面に付着させた前記付着用物を希釈または水溶液化する工程、
次いで、前記造形体を前記型から取り外す取り外し工程、
取り外された前記造形体を第２の型に入れる工程、
次いで、前記造形体を第２の型ごと冷凍し、冷凍体を得る工程、
該冷凍体を解凍し解凍体を得る工程、
次いで、前記造形体を乾燥する工程
を含む籾殻成形体の製造方法であることにある。
【００１４】
前記籾殻成形体の製造方法においては、前記付着工程が、
前記粉粒体１とポリビニルアルコール水溶液とを混合して混合体を得る工程、
該混合体を攪拌しつつ乾燥する工程
を含み得る。
【００１５】
前記籾殻成形体の製造方法においては、前記粉粒体１が粉砕された籾殻を含み得る。
【００１６】
前記籾殻成形体の製造方法においては、前記粉粒体１が、微粉砕された籾殻、コロイダルシリカ、石英ガラスの粉末、籾殻焼成灰、の群から選択される１または複数種の微粉末を含み得る。
【００１７】
前記籾殻成形体の製造方法においては、前記粉粒体１が、籾殻燻炭を含み得る。
【００１８】
また、本発明の要旨とするところは、前記籾殻成形体の製造方法で得られた籾殻成形体であることにある。
【００１９】
さらに、本発明の要旨とするところは、前記籾殻成形体がフィルムからなる包装袋で包装されてなる複合籾殻成形体であることにある。
【００２０】
前記複合籾殻成形体は前記包装袋でシュリンク包装されてなり得る。
【００２１】
また、本発明の要旨とするところは、前記籾殻成形体、または、前記複合籾殻成形体からなる自動車用部材であることにある。
【発明の効果】
【００２２】
本発明によると、少量の接着剤で充分な強度を有する成形体及びその製造方法が提供される。
【００２３】
本発明によると、この成形体による、吸音性、衝撃エネルギー吸収性に優れた自動車用部材が提供される。
【発明を実施するための最良の形態】
【００２４】
本発明の籾殻成形体の製造方法の態様の一例は、
籾殻の粒子を主成分とする粉粒体（粉粒体１）を準備する工程、
前記籾殻の粒子の表面に、ポリビニルアルコール、ポリビニルアルコール水溶液、の群から選択される付着用物を付着させ、表面に該付着用物が付着された籾殻の粒子を主成分とする粉粒体（粉粒体２）を得る付着工程、
該粉粒体２を型取り用の型に充填して造形体を得る充填工程、
該造形体の内部の籾殻の粒子間の隙間に熱水または水蒸気を送り込んで、該籾殻の粒子の表面に付着させた前記付着用物を希釈または水溶液化する工程、
次いで、前記造形体を前記型から取り外す取り外し工程、
取り外された前記造形体をフィルムからなる梱包袋で梱包し、次いで前記造形体が内包された前記梱包袋の内部を減圧した状態で、前記梱包袋を密閉し、減圧密閉梱包体を得る工程、
該減圧密閉梱包体を冷凍し、冷凍体を得る工程、
該冷凍体を解凍し解凍体を得る工程、
次いで、前記造形体を前記梱包袋から取出して乾燥する工程
を含む籾殻成形体の製造方法である。
【００２５】
粉粒体の原料素材
この製造方法における粉粒体の主成分としての籾殻は、粉砕されないもの、あるいは粉砕されて粒子が細かくされたものが必要に応じて所定の比率に混合されたもの、が用いられる。この粉粒体には、そのほかに若干の増量剤が含まれていてもよい。増量剤としてはおがくず、そばがらなどが挙げられる。増量剤の含有量は１０重量％以下であることが好ましい。
【００２６】
付着工程
本発明においては、まず、この籾殻の粒子の表面にポリビニルアルコールを付着させる。この付着は、例えば、この籾殻を主成分とする粉粒体（粉粒体１）とポリビニルアルコール水溶液とを攪拌混合してなる混合体を乾燥することにより行うことができる。この乾燥も混合体を攪拌しつつ行われることが好ましい。このポリビニルアルコール水溶液の濃度は８〜１２重量％であることが好ましい。９〜１１重量％であることが籾殻の粒子の表面に均一にポリビニルアルコールの被膜が形成されるうえでさらに好ましい。粉粒体とポリビニルアルコール水溶液との混合比率は重量比１：１〜１：３であることが好ましい。４：１０〜６：１０であることが籾殻の粒子の表面に均一にポリビニルアルコールの被膜が形成されるうえでさらに好ましい。混合体における籾殻とポリビニルアルコールとの乾燥重量比は４：１〜６：１であることが高強度の成形体を得るうえで好ましい。籾殻はポリビニルアルコール水溶液と混合する前に予め湿潤状態にしておいてもよい。
【００２７】
籾殻の粒子の表面にポリビニルアルコールを付着させる方法としては、籾殻を主成分とする粉粒体（粉粒体１）とポリビニルアルコールの微粒子粉体とさらに好ましくは展着剤とを攪拌混合させるものであってもよい。この場合、籾殻の粒子の表面にポリビニルアルコールの微粒子がまぶされた状態で付着する。また、籾殻を予め湿潤状態にしたうえでポリビニルアルコールの微粒子粉体を加えて混合してもよい。
【００２８】
ポリビニルアルコールは籾殻の粒子の表面に吸湿した状態あるいは水溶液の状態で付着されてもよい。
【００２９】
充填工程、取り出し工程
充填工程においては、籾殻の粒子の表面にポリビニルアルコールを付着させた、籾殻を主成分とする粉粒体（粉粒体２）を所定の形状の型内に、例えば、圧空で送り込んで造形体を得る。次いで、この型内に水蒸気を送り込むことにより、造形体の内部の籾殻の粒子の間の隙間を水蒸気及びこの水蒸気のドレインで充満させる。水蒸気に代えて、あるいは水蒸気とともに熱水を型内に送り込んでもよい。
【００３０】
この充填と型内への水蒸気や熱水の送り込みは、例えば、特開２０００−１７６９５６に記載の加圧圧縮充填法による金型装置により好適に行うことができる。すなわち、例えば、図1に示すような金型装置１により行うことができる。図1の金型装置１においては、充填用粉粒体が充填されるキャビティ５を形成するよう、凸型金型３１と凹型金型２１がフレーム３３、２３に固定されて、相互に密接して対向配置される。フレーム２３、３３の各内側で凹、凸金型２１、３１の裏面側には、水蒸気が供給されるチャンバ２とチャンバ３がそれぞれ形成されている。そして、凹型金型２１は通常固定されているが、凸型金型３１は、凹型金型２１内にキャビティ５を形成した状態から後退移動（図面視右方向へ）し、充填用粉粒体が充填された造形体を取り出すことができ、また充填操作のため前進移動（図面視左方向へ）できる開閉駆動装置（図示せず）を伴って移動可能に配置されている。そして、この金型２１、３１には、加熱用水蒸気などの用役が通過できるよう多数のベントホール２２、３２がその全面にわたって透設されている。
【００３１】
それぞれのチャンバ２、３には、水蒸気を供給するための上部用役口２４、３４が設けられ、減圧ポンプあるいはドレン配管（いずれも不図示）に接続されている。
【００３２】
この金型装置を用いる充填方法は、（１）金型を型閉してキャビティ５を形成し、このキャビティ５内に、充填用粉粒体を充填する充填工程、（２）造形体に水蒸気を送り込んで加熱する加熱工程。（３）その後、造形体を冷却させる冷却工程、（４）冷却後、型開して、所定形状の造形体として金型装置から取り出す取り出し工程、という手順からなる。
【００３３】
充填工程について、さらに述べるならば、充填工程は、外部の原料サービスタンク（不図示）に収容した充填用粉粒体（粉粒体２）を、供給パイプ４１を通じ、フィーダ２６を介してキャビティ５内に送入し充填する工程である。充填用粉粒体は圧縮エアによりベンチュリー効果でキャビティ５内に送入される。充填する工程にはクラッキング充填法、加圧充填法あるいは加圧圧縮充填法などがあるが、いずれも充填用粉粒体とともに送り込まれた圧縮エアは、キャビティ５からベントホール２２、３２を通じて両側チャンバ２、３に抜き出され、外部に排出される。
【００３４】
また、この充填方法においては、中間型閉してキャビティを形成し、さらに型閉してこのキャビティより容積の小さいキャビティを形成するような金型を用いることができる。このような金型を用いて、（１）金型を中間型閉して形成したキャビティ内に充填用粉粒体を充填し、（２）造形体に水蒸気を送り込んで加熱し、（３）その後、この金型をさらに型閉して造形体を圧縮し、次いで冷却し、（４）冷却後、型開して、所定形状の造形体として金型装置から取り出す取す、という手順をとることができる。このような態様によれば、より高密度の造形体を得ることができる。
【００３５】
あるいは、このような金型を用いて、（１）金型を中間型閉して形成したキャビティ内に充填用粉粒体を充填し、（２）この金型をさらに型閉して造形体を圧縮し、（３）その後造形体に水蒸気を送り込んで加熱し、次いで冷却し、（４）冷却後、型開して、所定形状の造形体として金型装置から取り出す取す、という手順をとることができる。このような態様によっても、より高密度の造形体を得ることができる。
【００３６】
造形体を構成する粉粒体２が乾燥状態である場合は、充填工程における水蒸気の送り込みにより籾殻の粒子に付着しているポリビニルアルコールが含水して水溶液化し、またこのため籾殻の粒子の表面に粘着性が発現し、籾殻の粒子同士が接着されて造形体に自立の形態保持性が与えられる。これにより、造形体を型開した金型から比較的容易に取出すことができる。送り込まれる水蒸気は大気圧の水蒸気、いわゆる生蒸気であってよい。生蒸気より高圧の水蒸気であってもよい。さらに、本発明の金型装置１を用いた態様においては、上述のように水蒸気のかわりにあるいは水蒸気とともに熱水が造形体に送り込まれてもよい。
【００３７】
造形体を構成する粉粒体２が湿潤状態である場合は、充填工程における水蒸気や熱水の送り込みにより籾殻の粒子に付着しているポリビニルアルコールが水溶液化する。あるいは、ポリビニルアルコールがすでに水溶液として籾殻の粒子に付着している場合は、その水溶液が希釈される。
【００３８】
金型装置１を用いた態様においては、キャビティに送り込む粉粒体２は乾燥状態であることが粉粒体２の空気による移送が円滑に行われて好ましい。粉粒体２が湿潤状態である場合は、器具による押し込みなどの機械的な充填方法が用いられることが好ましい。
【００３９】
本発明の他の態様においては、多孔質の材料あるいは孔あきの材料からなる型に充填用粉粒体を充填し、その造形体の籾殻の粒子の間隙に、その材料の連通孔を経由して５０℃以上の熱水を流入させることにより、籾殻の粒子の表面のポリビニルアルコールを含水させて水溶液化してもよい。この流入は、例えば、型に充填されている造形体を型ごと熱水に浸漬することにより行うことができる。あるいは造形体を充填した状態の型の内部にその材料の連通孔を経由して熱水を圧入することにより造形体の籾殻の粒子の間隙に熱水を流入させてもよい。水蒸気を造形体の籾殻の粒子の間隙に吹き込んでドレン化させてもよい。
【００４０】
減圧密閉梱包体
金型から取り外された造形体を真空包装用のフィルム袋に入れてその袋の内部を減圧して密封し、減圧密閉梱包体を得る。減圧密閉梱包体を得る工程は真空包装用の公知の器具や装置、と公知の真空包装用フィルムを用いて行うことができる。減圧密閉梱包体中の造形体は大気圧で加圧されて圧縮状態になっている。袋の中の内圧を所定の圧に設定することにより、造形体にかかる圧縮圧を調整して造形体の密度を制御することができる。
【００４１】
本発明のさらに他の態様においては、型に充填された充填用粉粒体（造形体）を型ごと冷凍してもよい。この場合は、充填用粉粒体を型ごと真空包装して冷凍してもよい。あるいは、型を閉められた状態に固定することにより造形体を圧縮し、造形体を袋に入れることなく型ごと冷凍してもよい。
【００４２】
本発明のまたさらに他の態様においては、型に充填された充填用粉粒体（造形体）を第２の型に収め、次いで造形体を第２の型ごと冷凍してもよい。この場合は、充填用粉粒体を型ごと真空包装して冷凍してもよい。あるいは、型を閉められた状態に固定することにより造形体を圧縮し、造形体を袋に入れることなく第２の型ごと冷凍してもよい。
【００４３】
冷凍体
減圧密閉梱包体、あるいは型や第２の型ごと冷凍された造形体は公知の冷凍装置を用いて冷凍処理して冷凍体を得ることができる。例えば、冷凍食品用の冷凍装置を用いて連続的に減圧密閉梱包体を供給して連続的に冷凍処理することができる。冷凍温度は−１０〜−３０℃であることが好ましい。減圧密閉梱包体を冷凍することにより、減圧密閉梱包体中の造形体を圧縮状態で冷凍することができる。あるいは造形体を型や第２の型ごと冷凍することにより、型中の造形体を圧縮状態で冷凍することができる。
【００４４】
解凍体
解凍体は、冷凍された減圧密閉梱包体，あるいは型や第２の型ごと冷凍された造形体を公知の加熱装置を用いて解凍処理して得ることができる。例えば、ヒートポンプ方式の加熱装置が好適に用いられる。減圧密閉梱包体は連続的に加熱装置に供給して連続的に解凍することもできる。なお、減圧密閉梱包体の冷凍、解凍は複数回繰り返して行われてもよい。この凍結、解凍により造形体中のポリビニルアルコール水溶液がゲル化される。とくに、籾殻中のシリカがポリビニルアルコールのゲル化反応を促進させることにより、強固なゲル体が生成される。また、この解凍処理により、減圧密閉梱包体中の造形体を圧縮状態で解凍することができる。この造形体は、圧縮状態で冷凍、解凍されているので構造は安定した緻密さを実現できる。
【００４５】
なお、本発明において、造形体の内部の籾殻の粒子間の隙間に熱水または水蒸気を送り込んで籾殻の粒子の表面に付着させた付着用物を希釈または水溶液化する工程は、造形体中のポリビニルアルコール水溶液の濃度をこのゲル化に適した濃度にするために行われる。
【００４６】
乾燥工程
乾燥工程においては、解凍された造形体をフィルム袋から取出してあるいは型や第２の型を開放して、造形体を加熱乾燥する。乾燥は５０〜１２０℃で加熱して行うことが好ましい。例えば、１〜１０℃／ｍｉｎの昇温速度で５０〜１２０℃まで昇温して加熱することにより行うことができる。この乾燥により、強固に３次元化したＳｉ／ポリビニルアルコールのゲルに含まれている水分が除去されて、ポーラスなスポンジ状の構造物となり、籾殻の粒子がその構造体に堅固に捕捉された構造体が得られる。
【００４７】
本発明のかかる製造方法により、籾殻の粒子同士がポリビニルアルコールをバインダとして強固に接合された籾殻成形体が得られる。
【００４８】
籾殻とポリビニルアルコール水溶液とを混合して成形した成形体を単に加熱した場合は、前述のように、液状化された接着剤が加熱乾燥の際にマイグレーションにより成形体の表面など高温がわに移行する傾向があり、均一な接着構造が得られないそれがあるが、本発明においては、造形体中の含水ポリビニルアルコールを凍結、解凍することにより含水ポリビニルアルコールがゲル化され、これにより、ポリビニルアルコール分子同士がＳｉを反応促進剤として３次元的に結びつき、含水ポリビニルアルコールの自然流動が阻害されて、乾燥時のマイグレーションが防止されて成形体全体にわたり均一な接着がなされる。
【００４９】
さらに、籾殻に含まれるシリカ成分が遊離して含水ポリビニルアルコールに架橋剤として３次元的に作用してゲル化を促進するとともに、乾燥後の接着力の向上にも寄与するものと考えられる。この結果、高強度の成形体が得られる。
【００５０】
従って、本発明においては、充填用粉粒体にシリカ成分を含む微粉末を含有させることがゲル化の促進にとって有効である。このシリカ成分を含む微粉末に含まれるシリカ成分も遊離して含水ポリビニルアルコールに架橋剤として作用してゲル化をさらに促進するとともに、乾燥後の接着力の向上にも寄与すると考えられる。シリカ成分を含む微粉末としては微粉砕された籾殻、コロイダルシリカ、石英ガラスの粉末、籾殻焼成灰などが挙げられる。微粉末の粒子径は１００μｍ以下であることがゲル化を促進させるうえで好ましい。微粉末はナノオーダーの微粉末であってもよい。
【００５１】
また、本発明の態様の一例においては、前述の付着工程におけるように、籾殻の粒子にポリビニルアルコール水溶液を付着させたのち乾燥し、表面に乾燥されたポリビニルアルコールが付着した籾殻の粒子を得て、その後ふたたびその付着したポリビニルアルコールを湿潤させて水溶液状態とする。従来のように、単にポリビニルアルコール水溶液と籾殻とを混合したのち乾燥してポリビニルアルコールをバインダとして籾殻の粒子同士を接着する場合は、この混合により籾殻の粒子表面に付着したポリビニルアルコール水溶液中の水分が籾殻の粒子に吸収されて、この水溶液が濃縮され、高濃度のポリビニルアルコール水溶液が籾殻の粒子表面に付着している状態となる。
【００５２】
このような状態では十分なゲル化が行われず、籾殻の粒子同士の上述の強固な結合を得ることができない。これに対して、本発明においては、籾殻の粒子表面に付着した乾燥されたポリビニルアルコールにふたたび水分を供給することにより、ゲル化が十分に行われる濃度のポリビニルアルコール水溶液を籾殻の粒子表面に存在させることができる。さらに、このとき供給する水分の量を調節することにより水溶液の濃度をゲル化が十分に行われる濃度に制御することができる。さらには、籾殻の粒子表面の水溶液の濃度を、籾殻の粒子表面に粘着性を与えるのに適した濃度に制御することもできる。
【００５３】
本発明の態様の他の一例においては、籾殻の粒子に吸水したポリビニルアルコールあるいはポリビニルアルコール水溶液を付着させたのちふたたび水分を供給することにより、ゲル化が十分に行われる濃度のポリビニルアルコール水溶液を籾殻の粒子表面に存在させることができる。単に籾殻の粒子に吸水したポリビニルアルコールあるいはポリビニルアルコール水溶液を付着させた場合は、水分が籾殻に吸収されてポリビニルアルコールの濃度が高くなり、ゲル化が十分に行われる濃度のポリビニルアルコール水溶液を籾殻の粒子表面に安定して存在させることができない。
【００５４】
本発明においては、このようにして得られた籾殻成形体をさらにフィルムで囲撓することにより、元来耐水性に劣るものとされる籾殻の成形体に優れた耐水性を付与できる。また、籾殻特有の匂いをほぼ遮断することができる。
【００５５】
さらに、本発明の籾殻成形体は、籾殻を加熱炭化させた籾殻燻炭を含有させることによって籾殻特有の匂いをほぼ解消することができる。また、これにより、籾殻成形体に脱臭能を付与することができる。例えば、籾殻燻炭を粉粒体１に混入させれおくことにより籾殻燻炭を含有した籾殻成形体が得られる。籾殻燻炭に代えて活性炭の粉粒物を用いても脱臭能が得られるが、籾殻燻炭はポリビニルアルコールのゲル化を促進させて成形体の強度向上に寄与するので好ましい。
【００５６】
また、本発明の籾殻成形体を製造方法によれば、この方法が冷凍、解凍というバッチ式の工程を含んでいるにも拘わらず、優れた特性の籾殻成形体をほぼ無人でかつ連続的に工業的に製造することが可能である。この態様の一例を図２に示す。図２（ａ）において、開梱装置１０４にセットされた籾殻の梱包体１０２から放出された籾殻−Ａが、送粒装置１０６の投入口１０８に投入されて送粒パイプ１１１を経て秤量器１１０に供給される。一方、開梱装置１０５にセットされた籾殻の梱包体１０３から放出された籾殻−Ｂが、送粒装置１０７の投入口１０９に投入されて送粒パイプ１０９を経て粉砕機１１２に供給されて粉砕されて粉砕籾殻となる。粉砕籾殻は次いで篩選別装置１１４で所定の粒度に選別された後、送粒パイプ１１６を経て秤量器１１３に供給される。秤量された籾殻Ａと秤量された粉砕籾殻がそれぞれ送粒パイプ１１８、送粒パイプ１１９を経て混練機１２０に供給されポリビニルアルコール水溶液とともに混練される。籾殻Ａと粉砕籾殻とで（粉粒体１）が構成される。ポリビニルアルコール水溶液については、ポリビニルアルコールと水とを混合調整する調整タンク１２２に供給されたものがＦＩＣ（流量表示制御器）１２４、送液ライン１２６を経て混練機１２０に供給される。図中、符号１１７は粉粉粒体移送用のブロア、符号１２５は液送用のポンプ、符号１２７は混練物移送送用ポンプである。混練物の移送はスパイラルコンベアのような移送手段によってもよい。
【００５７】
混練機１２０にて混練された籾殻・ポリビニルアルコール水溶液混練物は、図２（ｂ）に示すように、輸送パイプ１２８を経て乾燥サイロ１３０に供給され乾燥される。乾燥サイロ１３０には送風機１３４とヒーター１３２により乾燥用の熱風が供給される。混練物は乾燥サイロ１３０で乾燥されて粉粒体（粉粒体２）となる。この粉粒体は、表面にポリビニルアルコールが薄膜状に付着した籾殻の粒子からなる。
【００５８】
この粉粒体は、送粒パイプ１３６、貯留槽１３７を経て図１に示す金型装置１と同様の構成の充填装置１３８に供給される。充填装置１３８は閉型するとキャビティを形成する一対の金型１４０、１４２を備える。充填装置１３８はさらにキャビティ内に粉粒体を供給する供給管１４４と、キャビティ内に圧空を導入する圧空導入管１５０を備える。供給管１４４と圧空導入管１５０とはそれぞれ、管先で合流している。金型１４０は、ボイラ等の水蒸気源１４５から水蒸気をキャビティに吹き込むための水蒸気吹き込み路１５５を備える。金型１４２は、キャビティ内に供給された圧空や水蒸気をパージする不図示の排出路を備える。また、金型１４２は、金型１４２を金型１４０に対して進退させ開型、閉型を行うための進退手段１６０を備える。
【００５９】
貯留槽１３７に貯留されている粉粒体が圧空導入管１５０に圧空源１６１から供給された圧空の作用で吸引されて供給管１４４からそれぞれキャビティ内に供給され、圧空の作用で圧縮される。その後水蒸気吹き込み路１５５から水蒸気がキャビティ内に吹き込まれ、籾殻に付着しているポリビニルアルコールが湿潤して水溶液状態となり、かつ籾殻の粒子同士が粘着し、自立性の造形体が得られる。
【００６０】
自立性の造形体は、開型後金型から取出されてコンベア１６２により移送されて中間コンベア１６４に達する。中間コンベア１６４上でこの自立性の造形体１６６が減圧包装袋１６８でバキュウム装置１７０を用いて減圧包装されて減圧密閉梱包体となる。この減圧密閉梱包体１７２は、次いで、図２（ｃ）に示すように、冷凍室１７４に供給されて冷凍される。冷凍室１７４は螺旋状のコンベア１７７を内蔵し、コンベア１７７で搬送されているあいだに減圧密閉梱包体が不図示の冷凍機により低温化した冷凍室１７４の中で冷凍される。冷凍室１７４から排出された冷凍された減圧密閉梱包体は、次いで解凍室１８２に供給される。解凍室１８２は螺旋状のコンベア１８７を内蔵し、コンベア１８７で搬送されているあいだに減圧密閉梱包体が不図示の加熱機により高温化した解凍室１８２の中で解凍される。
【００６１】
解凍された減圧密閉梱包体は解凍室１８２から排出され、開梱されて造形体１８４から減圧包装袋１６８が分離される。図２（ｄ）に示すように、次いで造形体１８４が乾燥室１８８、次いで乾燥室１８９に導入される。乾燥室１８８、乾燥室１８９も螺旋状のコンベア１８９、コンベア１９１をそれぞれ内蔵し、コンベア１８９、コンベア１９１で搬送されているあいだに造形体が不図示の加熱機により高温化した乾燥室１８８、１８９の中で加熱乾燥され籾殻成形体となる。乾燥室１８８、乾燥室１８９の乾燥温度は例えばそれぞれ８０℃、１２０℃に設定される。
【００６２】
得られた籾殻成形体は、図２（ｅ）に示すように、検査用コンベア１９０で搬送される途中で検査されたのち、シュリンク包装機１９２でシュリンク包装され、製品となって製品運搬車１９４に積載されて搬出される。シュリンク包装機１９２は熱収縮フィルム１９６を供給するフィルム供給部１９８と、籾殻成形体２００を熱収縮フィルムで包装する包装部２０２と、包装された籾殻成形体２００を加熱炉２０４に導入する導入コンベア２０６を備える。包装後の熱収縮フィルム１９６は加熱炉２０４で加熱収縮されてフィルムで囲撓された複合籾殻成形体２１０が得られる。
【００６３】
なお、本願発明の態様に替えて、未粉砕、あるいは１〜１０メッシュパス程度に粉砕した籾殻を含む粉粒体とポリビニルアルコール水溶液とが混合されて表面が粘着性を有する粉粒体からなる被成形物を押出して型に圧入して成形する態様が考えられるが、このような態様は、被成形物が成形用の型に流入されるまでの押出管路で一旦閉塞すると、管路の内壁との摩擦力に起因する背圧がその管路の上流方向に積算されて完全に管路が閉塞された状態となることが多く、円滑な成形を行うことは難しい。すなわち、型に流入されるときの粉粒体の粒子の表面は粘着性をほとんどあるいは全く有しない状態であることが好ましい。また、この流入は機械的な圧力によるよりも、図２（ｂ）に示すような風送等の気体による搬送によることが流入路の閉塞が起こらず好ましい。
【００６４】
なお、図２に示す態様は、本発明の籾殻成形体の製造方法の態様の一例に過ぎず、本発明は図２に示す態様に限定されるものではない。また、本発明は、主旨を逸脱しない範囲で当業者の知識に基づき種々なる改良、修正、変更を加えた態様で実施できるものである。
【００６５】
本発明の製造方法により得られた籾殻成形体は、高強度であり、かつ衝撃吸収性に優れる。また、吸音性に優れる。この特長を活かして、自動車用の内装分野や外装分野の部材として好適に使用される。とくには嵩上げボード用デッキボード用の部材や、ニーボルスター用部材として好適に用いることができる。また、吸音性や調湿性や天然の触感や色目に優れた建材として好適に用いることができる。さらには、ヘルメットの芯材や電子装置用の衝撃吸収材としても好適に用いることができる。また、音波吸収能を有するインテリア用材、音波吸収能や調湿機能を有するパネル、として好適に用いることができる。
【実施例】
【００６６】
［実施例１］
籾殻１００重量部、籾殻を粉砕分級した平均粒径１００μｍの籾殻微粉末２０重量部、ポリビニルアルコールの１０重量％水溶液２００重量部を混練して混練物を得た。この混練物を攪拌しつつ８０℃に加熱して乾燥し、粉粒体を得た。この粉粒体１２０ｇを縱１０ｃｍ横１４．５ｃｍ、厚さ２．４ｃｍのキャビティを有する型に入れて加圧成形し造形体とした。造形体を加圧状態でキャビティ内に０．２ＭＰａの水蒸気源から水蒸気を３分間導入して造形体を処理した。処理後の造形体は自立性の成形体であった。開型してこの成形体を型から取出して真空包装用フィルムを用いて真空包装機で真空包装し、減圧密閉梱包体を得た。この減圧密閉梱包体の内部の圧力は７６ｍｍＨｇであった。この減圧密閉梱包体を−２０℃で２０分間冷凍したのち室温で解凍した。解凍後袋から造形体を取出して８０℃２０分の加熱により加熱乾燥し籾殻成形体を得た。この籾殻成形体の曲げ強度は０．５ＭＰａであり、自動車内装材として充分な強度を有していた。この籾殻成形体を厚さ４０μｍのポリエチレン系フィルムで密封包装した包装体は耐水性が良くかつ吸音性に優れ、とくにデッキボード用の部材として好適に使用できるものであった。
【００６７】
図３にこの籾殻成形体の吸音特性を示す。吸音率の測定はマイクロホンインピーダンス測定装置（ＭＳ−１０２０型  Ｂｒｅｕｅｌ  ＆  Ｋｊａｅｒ  製）で細管を使用して５００〜６５００Ｈｚの範囲で行った。
【００６８】
図３より、この籾殻成形体（サンプル１）は、５００〜５０００Ｈｚにわたって吸音率０．６以上、５０００〜６５００Ｈｚでも０．５以上と優れていた。とくに、１１００Ｈｚ付近では吸音率が１．０に近いピークがあり、きわめて優れていた。この籾殻成形体を厚さ１０μｍのポリエチレンフィルムの袋に封入したもの（サンプル２）は測定全周波数にわたって吸音率が約０．５〜約０．７の範囲内であった。この籾殻成形体を厚さ２０μｍのポリエチレンフィルムの袋に封入したもの（サンプル３）は測定全周波数にわたって吸音率が約０．４〜約０．６の範囲内であった。この籾殻成形体を厚さ４０μｍのポリエチレンフィルムの袋に封入したもの（サンプル４）は５００〜５０００Ｈｚにわたって吸音率が約０．４〜約０．６の範囲内であり、また５０００Ｈｚ以上では約０．６を超える値となった。従って、本発明の籾殻成形体は厚さ４０μｍ以下の樹脂フィルムの袋に封入された状態であっても吸音率が約０．４以上の優れた吸音特性を示すことがわかった。
【００６９】
［実施例２］
混練物として、籾殻７０重量部、籾殻を粉砕分級した平均粒径１００μｍの籾殻微粉末１０重量部、籾殻燻炭３０重量部、ポリビニルアルコールの９重量％水溶液２００重量部を混練したものを用いたほかは実施例１と同様にして籾殻成形体を得た。この籾殻成形体は自動車内装材として充分な強度を有しており、また籾殻特有の匂いが殆ど感じられなかった。さらに、自動車室内に載置しておくと室内の脱臭効果があった。
【００７０】
［実施例３］
混練物として、籾殻１００重量部、籾殻焼成灰１０重量部、ポリビニルアルコールの１２重量％水溶液２１０重量部を混練したものを用いたほかは実施例１と同様にして籾殻成形体を得た。この籾殻成形体は自動車用部材として充分な強度を有し、かつ吸音性に優れていた。
【００７１】
［実施例４］
籾殻１００重量部、籾殻を粉砕分級した平均粒径１００μｍの籾殻微粉末１０重量部、ポリビニルアルコールの８重量％水溶液２２０重量部を混練して混練物を得た。この混練物１２０ｇを縱１０ｃｍ横１４．５ｃｍ、厚さ２．４ｃｍのキャビティを有する型に入れて加圧成形し造形体とした。造形体を加圧状態でキャビティ内に０．２ＭＰａの水蒸気源から水蒸気を３分間導入して造形体を処理した。開型してこの成形体を型から取出して、実施例１と同様にして冷凍・解凍・加熱乾燥し籾殻成形体を得た。この籾殻成形体の曲げ強度は０．５ＭＰａであり、自動車部材として充分な強度を有していた。この籾殻成形体を厚さ４０μｍのポリエチレン系フィルムで密封包装した包装体は耐水性が良くかつ吸音性に優れ、とくにデッキボード用の部材として好適に使用できるものであった。
【図面の簡単な説明】
【００７２】
【図１】本発明の籾殻成形体の製造方法において用いられる金型装置の構成を示す側面からみた模式図である。
【図２（ａ）】本発明の籾殻成形体を製造方法により籾殻成形体を連続的に製造する態様の一例を示す工程フロー説明図である。
【図２（ｂ）】図２（ａ）に続く工程フロー説明図である。
【図２（ｃ）】図２（ｂ）に続く工程フロー説明図である。
【図２（ｄ）】図２（ｃ）に続く工程フロー説明図である。
【図２（ｅ）】図２（ｄ）に続く工程フロー説明図である。
【図３】本発明の籾殻成形体の吸音特性を示すグラフである。
【符号の説明】
【００７３】
１：金型装置
２、３：チャンバ
５：キャビティ
３１：凸型金型
２１：凹型金型
２２、３２：ベントホール
１０６：送粒装置
１０７：送粒装置
１１０：秤量器
１１２：粉砕機
１１４：篩選別装置
１１３：秤量器
１２０：混練機
１２２：調整タンク
１３０：乾燥サイロ
１３７：貯留槽
１３８：充填装置
１４０、１４２：金型
１４４：供給管
１４５：水蒸気源
１５０：圧空導入管
１６０：進退手段
１６１：圧空源
１５５：水蒸気吹き込み路
１６２：コンベア
１６４：中間コンベア
１６６：自立性の造形体
１６８：減圧包装袋
１７０：バキュウム装置
１７２：減圧密閉梱包体
１７４；冷凍室
１８２：解凍室
１８４：造形体
１８８：乾燥室
１８９：乾燥室
１９２：シュリンク包装機
１９６：熱収縮フィルム
２００：籾殻成形体
２０２：包装部
２０４：加熱炉
２１０：複合籾殻成形体
【図１】
2008260201.tif 000002
【図２（ａ）】
2008260201.tif 000003
【図２（ｂ）】
2008260201.tif 000004
【図２（ｃ）】
2008260201.tif 000005
【図２（ｄ）】
2008260201.tif 000006
【図２（ｅ）】
2008260201.tif 000007
【図３】
2008260201.tif 000008